(57)【要約】      （修正有）【課題】吹雪の拡散領域と、拡散領域内の吹雪の濃度とを所望かつ簡易に調整可能な吹雪の発生方法および装置を提供する【解決手段】内部に軸線方向に貫通する圧送流路を有する回転体と、該回転体を前記軸線方向を中心に所定回転速度で回転させる回転駆動部とを有し、該圧送流路は上流側端面に取り入れ口を備え下流側端面に排出口を備え、前記排出口は、雪粒が前記排出口から軸線方向に対し拡散する向きに排出するように前記取り入れ口に対し位置決めされた拡散式噴雪装置を利用し、圧送空気を用いて前記圧送流路内で前記排出口に向かって雪粒を搬送する段階と、前記回転駆動部により前記回転体の軸線方向を中心とする回転速度を調整することにより吹雪の拡散領域を調整するとともに、設定した回転速度との関係において圧送空気の圧送速度により前記圧送流路内の雪粒の流量を調整することにより、拡散領域内の吹雪の濃度を調整する段階とを有する吹雪の発生方法。【選択図】図１
2018091607.tif 000002
【特許請求の範囲】
【請求項１】
内部に軸線方向に貫通する圧送流路を有する回転体と、該回転体をその軸線方向を中心に所定回転速度で回転させる回転駆動部とを有し、
該圧送流路は、上流側端面に取り入れ口を備え、下流側端面に排出口を備え、
前記排出口は、雪粒が前記排出口から軸線方向に対して拡散する向きに排出するように、前記取り入れ口に対して位置決めされる拡散式噴雪装置を利用して、前記排出口から噴雪される雪粒により吹雪を発生する吹雪の発生方法であって、
圧送空気を用いて前記圧送流路内で前記排出口に向かって、雪粒を搬送する段階と、
前記回転駆動部により、前記回転体の軸線方向を中心とする回転速度を調整することにより、吹雪の拡散領域を調整するとともに、設定した回転速度との関係において、圧送空気の圧送速度により前記圧送流路内の雪粒の流量を調整することにより、拡散領域内の吹雪の濃度を調整する段階とを有する、ことを特徴とする吹雪の発生方法。
【請求項２】
内部に軸線方向に貫通する圧送流路を有する回転体と、該回転体をその軸線方向を中心に所定回転速度で回転させる回転駆動部とを有し、
該圧送流路は、上流側端面に取り入れ口を備え、下流側端面に排出口を備え、
前記排出口は、雪粒が前記排出口から軸線方向に対して拡散する向きに排出するように、前記取り入れ口に対して位置決めされる拡散式噴雪装置を利用して、前記排出口から噴雪される雪粒を拡散式噴雪装置の背後からの気流に乗せることにより吹雪を発生する吹雪の発生方法であって、
前記回転体の軸線方向が気流の向きに沿い、前記排出口が最下流側に位置するように前記回転体を配置する段階と、
圧送空気を用いて前記圧送流路内で前記排出口に向かって、雪粒を搬送する段階と、
前記回転駆動部により、前記回転体の軸線方向を中心とする回転速度を調整することにより、吹雪の拡散領域を調整するとともに、設定した回転速度との関係において前記圧送流路内の雪粒の流量を調整することにより、拡散領域内の吹雪の濃度を調整する段階とを有する、ことを特徴とする吹雪の発生方法。
【請求項３】
吹雪は、風洞内に配置された車両に向かって吹き出され、車両に対して環境試験を行うのに用いられ、
前記排出口と車両との距離が２メートル以下となるように、前記回転体を配置する段階を有し、
前記圧送流路内を流れる前記圧送空気のみを利用して、車両に達する際に所望の拡散領域と拡散領域内の濃度となるように、車両に向かって吹雪を発生する段階を有する、請求項１に記載の吹雪の発生方法。
【請求項４】
吹雪の前記拡散領域が前記回転体の中心部側に及ぶように、前記圧送流路内には、前記取入れ口から前記排出口まで軸線方向に仕切る仕切りが設けられる、請求項１ないし請求項３のいずれか１項に記載の吹雪の発生方法。
【請求項５】
吹雪の前記拡散領域が前記回転体の中心部側に及ぶように、前記排出口は、前記回転体の前記下流側端面の中心部に及ぶ、請求項４に記載の吹雪の発生方法。
【請求項６】
前記圧送流路は、前記回転体内で互いに連通しないように、複数設けられ、
前記複数の圧送流路の前記取り入れ口は、前記上流側端面上で同心状に設けられ、前記複数の圧送流路の前記排出口は、前記下流流側端面上で同心状に設けられる、請求項４または５に記載の吹雪の発生方法。
【請求項７】
前記複数の圧送流路の前記回転体の軸線方向に対する傾斜角度は、互いに異なる、請求項６に記載の吹雪の発生方法。
【請求項８】
気流速度に応じて、前記回転体の軸線方向を中心とする回転速度および/または前記圧送流路内の雪粒の流量を調整する、請求項２に記載の吹雪の発生方法
【請求項９】
前記回転体の前記上流側端面は、管内で気流により雪粒を圧送する本管の下流側端面と平行に配置され、前記圧送流路の前記取り入れ口は、前記上流側端面に、本管の下流側端面に設けられる流出開口に近接対向して非接触式に配置される、請求項１に記載の吹雪の発生方法。
【請求項１０】
前記回転体の前記上流側端面および前記下流側端面それぞれは、円形であり、前記排出口は前記取り入れ口に対して軸線方向を中心とする周方向に関してオフセット配置され、前記圧送流路は、直線状流路であり、軸線方向に対して斜めに設けられる、請求項１に記載の吹雪の発生方法。
【請求項１１】
前記排出口に対して、下端開口が連通するように接続された可撓性管が設けられ、
該可撓性管は、前記回転体の回転により、前記可撓性管の上端開口が下端開口に対して前記回転体の半径方向外側に位置するように、長手方向に撓み、
それにより、前記排出口から噴射する噴雪の拡散範囲が調整される、請求項１ないし請求項１０のいずれか１項に記載の吹雪の発生方法。
【請求項１２】
前記排出口から噴射される噴雪が当たるように位置決めされて、前記回転体に対して、前記回転体の中心から外周縁に向かって上向きに連結された拡散傾斜板と、該拡散傾斜板を上方から支持する付勢手段とを有し、
前記回転体の回転により、前記拡散傾斜板に作用する遠心力と前記拡散傾斜板に作用する前記付勢手段による付勢力との釣り合い位置に、前記拡散傾斜板の傾斜角度が調整され、
それにより、前記拡散傾斜板に当たる噴雪の拡散範囲が調整される、請求項１ないし請求項１０のいずれか１項に記載の吹雪の発生方法。
【請求項１３】
前記拡散傾斜板は、下端が、前記回転体の回転軸線上を前記下流側端面から上方に延びるバーに回動可能にピン結合され、上端側には、重りが付設され、
前記付勢手段は、コイルバネであり、一端が前記バーに連結され、他端が前記拡散傾斜板に連結される、請求項１２に記載の吹雪の発生方法。
【請求項１４】
前記圧送流路の前記回転体の軸線方向に対する傾斜角度に応じて、前記回転体の回転数を調整することにより、噴雪の拡散範囲を調整する、請求項１に記載の吹雪の発生方法。
【請求項１５】
内部に軸線方向に貫通する圧送流路を有する回転体と、該回転体をその軸線方向を中心に所定回転速度で回転させる回転駆動部とを有し、
該圧送流路は、上流側端面に取り入れ口を備え、下流側端面に排出口を備え、
前記排出口は、雪粒が前記排出口から軸線方向に対して拡散する向きに排出するように、前記取り入れ口に対して位置決めされる拡散式噴雪装置を利用して、前記排出口から噴雪される雪粒により吹雪を発生する吹雪の発生装置であって、
圧送空気の圧送速度を調整する圧送速度調整部と、
圧送空気を用いて前記圧送流路内で前記排出口に向かって、雪粒を搬送する雪粒搬送部と、
前記回転体の軸線方向を中心とする回転速度を調整する回転速度調整部とを有し、
前記雪粒搬送部により雪粒を搬送しつつ、前記回転速度調整部により、前記回転体の軸線方向を中心とする回転速度を調整することにより、吹雪の拡散領域を調整するとともに、設定した回転速度との関係において、前記圧送速度調整部により圧送空気の圧送速度を通じて前記圧送流路内の雪粒の流量を調整することにより、拡散領域内の吹雪の濃度を調整する、ことを特徴とする吹雪の発生装置。
【請求項１６】
内部に軸線方向に貫通する圧送流路を有する回転体と、該回転体をその軸線方向を中心に所定回転速度で回転させる回転駆動部とを有し、
該圧送流路は、上流側端面に取り入れ口を備え、下流側端面に排出口を備え、
前記排出口は、雪粒が前記排出口から軸線方向に対して拡散する向きに排出するように、前記取り入れ口に対して位置決めされる拡散式噴雪装置を利用して、前記排出口から噴雪される雪粒を拡散式噴雪装置の背後からの気流に乗せることにより吹雪を発生する吹雪の発生装置であって、
前記回転体は、前記回転体の軸線方向が気流の向きに沿い、前記排出口が最下流側に位置するように配置され、
圧送空気の圧送速度を調整する圧送速度調整部と、
圧送空気を用いて前記圧送流路内で前記排出口に向かって、雪粒を搬送する雪粒搬送部と、
前記回転体の軸線方向を中心とする回転速度を調整する回転速度調整部とを有し、
前記雪粒搬送部により雪粒を搬送しつつ、前記回転速度調整部により、前記回転体の軸線方向を中心とする回転速度を調整することにより、吹雪の拡散領域を調整するとともに、設定した回転速度との関係において、前記圧送速度調整部により圧送空気の圧送速度を通じて前記圧送流路内の雪粒の流量を調整することにより、拡散領域内の吹雪の濃度を調整する、ことを特徴とする吹雪の発生装置。
【発明の詳細な説明】
【技術分野】
【０００１】
本発明は、吹雪の発生方法および吹雪の発生装置に関し、より詳細には、吹雪の拡散領域と、拡散領域内の吹雪の濃度とを所望に簡易に調整可能な吹雪の発生方法および吹雪の発生装置に関する。
【背景技術】
【０００２】
従来から、完成モデルの車両を室内に置き、さまざまな自然環境・気象条件を設定し、車両への負荷をデータとして収集し、分析するための環境試験室が用いられている。
その一例として、環境試験室内で人工雪により吹雪を模擬して、吹雪を車両に向かって吹き出し、エンジンルーム内への雪の混入による不具合問題、足回り部品の凍結等の着氷問題に対処することが行われている。
【０００３】
このため、環境試験室は、車両が配置され、吹雪を車両に向かって吹き出すのに十分なスペースの風洞と、吹雪発生装置とを有する。
吹雪発生装置は、フレーク状の氷片を製造する製氷機と、製造されたフレーク状の氷片を所定粒径の氷粒に砕氷する砕氷機と、砕氷された所定粒径の氷粒により模擬された人工雪を風洞内に搬送する配管と、配管の先端に設置され、車両の前部に向かって吹き出す吹き出しノズルとを有する。
このような環境試験室によれば、吹雪発生装置を利用して、風洞内において、吹雪を車両に向かって吹き出すことにより、自然環境・気象条件を模擬した環境試験を行うことが可能である。
【０００４】
このとき、適正かつ有効な環境試験を行うには、自然状態の吹雪を模擬する必要があり、特に、吹雪の車両への付着性を再現する観点から、吹雪を構成する雪の温度および粒径、さらには試験に必要な雪の量の確保が重要である。
その一方で、車両を配置する風洞内において、車両と気流の吹き出し口との距離が短い（１ないし２メートル程度）という制約があり、この短い距離の間で自然状態の吹雪を模擬して、車両に吹き付ける必要がある。
【０００５】
この点、本件発明者は、特許文献１において、環境試験において、造雪した人工雪を用いて吹雪を模擬するのに、雪を気流に乗せることより吹雪を模擬する吹雪の発生装置を提案している。
この吹雪の発生装置は、拡散用部材を用いるもので、雪を気流の進行方向に沿って吹き出す吹き出し口が設けられ、吹き出し口は、車両の高さ全体に亘ってカバーするように高さ方向に間隔を隔てて、複数設けられ、各々の吹き出し口から吹き出される雪の量を互いに独立に調整可能とし、吹き出し口の外であって、気流の進行方向前方の所定位置に吹き出し口に対向する拡散用部材が配置され、それにより、吹き出し口から吹き出され、気流に乗って気流進行方向に沿って発生する吹雪が、拡散用部材の対向面に当って偏向され、対向面の四方外方に向かって拡散し、吹雪が試験体に到達する際、吹雪の空間濃度分布がほぼ均一となるように、前記吹き出し口と試験体との間隔、および気流速度に応じて、対向面の大きさが定められ、車両の高さに応じて、吹雪の濃度分布を調整可能としている。
【０００６】
以上の構成を有する拡散用部材を有する吹雪の発生装置によれば、吹き出し口から吹き出された雪は気流に乗って、気流の進行方向に沿って吹雪として流れ、吹雪は、吹き出し口の外であって、気流の進行方向前方の所定位置に吹き出し口に対向するように配置された拡散面に当るところ、拡散面は、雪に対して難付着性を有するように、難付着性の材質および／または頂部が吹き出し口に近づく向きに形成された円錐形状であることから、吹雪は、拡散面に付着することなく、拡散面に沿って案内され、四方外方に向かって拡散するとともに、拡散面への付着に伴う経時的な拡散特性の変動を抑制可能である。
【０００７】
しかしながら、このような拡散用部材を有する吹雪の発生装置には、以下のような技術的問題点が存する。
第１に、吹雪の拡散範囲の調整に限度がある点である。
より詳細には、雪の噴射速度および拡散用部材の円錐形状を調整することにより、雪の拡散範囲をある程度調整することは可能であるが、噴射する雪が拡散用部材の拡散面に衝突することにより、雪の噴射方向が偏向されるのを利用しているに過ぎないので、吹雪の拡散範囲には自ずと限度がある。
第２に、吹雪の拡散範囲の調整自体が困難な点である。
より詳細には、吹雪の拡散範囲を調整するとすれば、雪の噴射速度および/または拡散用部材の円錐形状を調整することになるが、拡散用部材の円錐形状を調整するとすれば、拡散用部材自体を交換することになり煩雑であり、雪の噴射速度により所望の拡散範囲を実現するのに、所与の拡散用部材の円錐形状のもとで、雪の噴射速度を決めるには、ある程度試行錯誤が必要となる。
第３に、吹雪の濃度の調整自体が困難な点である。吹き出し口は、車両の高さ全体に亘ってカバーするように高さ方向に間隔を隔てて、複数設けられ、各々の吹き出し口から吹き出される雪の流量を互いに独立に調整可能であるので、車両の高さ方向に吹雪の濃度を分布させることが可能であるが、設備自体が大掛かりであり、信頼性を維持するのが困難であるとともに、それぞれの吹き出し口において、吹雪の拡散範囲と吹雪の濃度とは、ともに雪の噴射速度が主な支配因子であることから、吹雪の拡散範囲および吹雪の濃度を互いに独立に調整するのが困難である。
【特許文献１】特願２０１３−０９４８３６号
【発明の開示】
【発明が解決しようとする課題】
【０００８】
以上の技術的問題点に鑑み、本発明の目的は、吹雪の拡散領域と、拡散領域内の吹雪の濃度とを所望に簡易に調整可能な吹雪の発生方法および吹雪の発生装置を提供することにある。
【課題を解決するための手段】
【０００９】
上記課題を解決するのに、本発明の吹雪の発生方法は、
内部に軸線方向に貫通する圧送流路を有する回転体と、該回転体をその軸線方向を中心に所定回転速度で回転させる回転駆動部とを有し、
該圧送流路は、上流側端面に取り入れ口を備え、下流側端面に排出口を備え、
前記排出口は、雪粒が前記排出口から軸線方向に対して拡散する向きに排出するように、前記取り入れ口に対して位置決めされる拡散式噴雪装置を利用して、前記排出口から噴雪される雪粒により吹雪を発生する吹雪の発生方法であって、
圧送空気を用いて前記圧送流路内で前記排出口に向かって、雪粒を搬送する段階と、
前記回転駆動部により、前記回転体の軸線方向を中心とする回転速度を調整することにより、吹雪の拡散領域を調整するとともに、設定した回転速度との関係において、圧送空気の圧送速度により前記圧送流路内の雪粒の流量を調整することにより、拡散領域内の吹雪の濃度を調整する段階とを有する、構成としている。
【００１０】
以上の構成を有する吹雪の発生方法によれば、拡散式噴雪装置を利用することにより、圧送空気を用いて圧送流路内で排出口に向かって、雪粒を搬送する際、回転駆動部により、内部に軸線方向に貫通する圧送流路を有する回転体をその軸線方向を中心に回転する回転速度を調整することにより、吹雪の拡散領域を調整するとともに、設定した回転速度との関係において圧送流路内の雪粒の流量を調整することにより、拡散領域内の吹雪の濃度を調整することが可能であり、吹雪の拡散領域と、拡散領域内の吹雪の濃度とを互いに独立に所望に簡易に調整可能である。
【００１１】
上記課題を解決するのに、本発明の吹雪の発生方法は、
内部に軸線方向に貫通する圧送流路を有する回転体と、該回転体をその軸線方向を中心に所定回転速度で回転させる回転駆動部とを有し、
該圧送流路は、上流側端面に取り入れ口を備え、下流側端面に排出口を備え、
前記排出口は、雪粒が前記排出口から軸線方向に対して拡散する向きに排出するように、前記取り入れ口に対して位置決めされる拡散式噴雪装置を利用して、前記排出口から噴雪される雪粒を拡散式噴雪装置の背後からの気流に乗せることにより吹雪を発生する吹雪の発生方法であって、
前記回転体の軸線方向が気流の向きに沿い、前記排出口が最下流側に位置するように前記回転体を配置する段階と、
圧送空気を用いて前記圧送流路内で前記排出口に向かって、雪粒を搬送する段階と、
前記回転駆動部により、前記回転体の軸線方向を中心とする回転速度を調整することにより、吹雪の拡散領域を調整するとともに、設定した回転速度との関係において前記圧送流路内の雪粒の流量を調整することにより、拡散領域内の吹雪の濃度を調整する段階とを有する、構成としている。
【００１２】
以上の構成を有する吹雪の発生方法によれば、拡散式噴雪装置を利用することにより、内部に軸線方向に貫通する圧送流路を有する回転体の軸線方向が、拡散式噴雪装置の背後からの気流の向きに沿い、排出口が最下流側に位置するように回転体を配置し、圧送空気を用いて圧送流路内で排出口に向かって、雪粒を搬送する際、回転駆動部により、内部に軸線方向に貫通する圧送流路を有する回転体をその軸線方向を中心に回転する回転速度を調整することにより、吹雪の拡散領域を調整するとともに、設定した回転速度との関係において圧送流路内の雪粒の流量を調整することにより、拡散領域内の吹雪の濃度を調整することが可能であり、吹雪の拡散領域と、拡散領域内の吹雪の濃度とを互いに独立に所望に簡易に調整可能である。
【００１３】
さらに、吹雪は、風洞内に配置された車両に向かって吹き出され、車両に対して環境試験を行うのに用いられ、
前記排出口と車両との距離が２メートル以下となるように、前記回転体を配置する段階を有し、
前記圧送流路内を流れる前記圧送空気のみを利用して、車両に達する際に所望の拡散領域と拡散領域内の濃度となるように、車両に向かって吹雪を発生する段階を有するのでもよい。
また、前記圧送流路は、前記回転体内で互いに連通しないように、複数設けられ、
前記複数の圧送流路の前記取り入れ口は、前記上流側端面上で同心状に設けられ、前記複数の圧送流路の前記排出口は、前記下流流側端面上で同心状に設けられるのがよい。
さらにまた、前記複数の圧送流路の前記回転体の軸線方向に対する傾斜角度は、互いに異なるのでもよい。
【００１４】
加えて、気流速度に応じて、前記回転体の軸線方向を中心とする回転速度および/または前記圧送流路内の雪粒の流量を調整するのがよい。
さらに、前記回転体の前記上流側端面は、管内で気流により雪粒を圧送する本管の下流側端面と平行に配置され、前記圧送流路の前記取り入れ口は、前記上流側端面に、本管の下流側端面に設けられる流出開口に近接対向して非接触式に配置されるのがよい。
また、前記回転体の前記上流側端面および前記下流側端面それぞれは、円形であり、前記排出口は前記取り入れ口に対して軸線方向を中心とする周方向に関してオフセット配置され、前記圧送流路は、直線状流路であり、軸線方向に対して斜めに設けられるのがよい。
【００１５】
さらにまた、前記排出口に対して、下端開口が連通するように接続された可撓性管が設けられ、
該可撓性管は、前記回転体の回転により、前記可撓性管の上端開口が下端開口に対して前記回転体の半径方向外側に位置するように、長手方向に撓み、それにより、前記排出口から噴射する噴雪の拡散範囲が調整されるのでもよい。
加えて、前記排出口から噴射される噴雪が当たるように位置決めされて、前記回転体に対して、前記回転体の中心から外周縁に向かって上向きに連結された拡散傾斜板と、該拡散傾斜板を上方から支持する付勢手段とを有し、
前記回転体の回転により、前記拡散傾斜板に作用する遠心力と前記拡散傾斜板に作用する前記付勢手段による付勢力との釣り合い位置に、前記拡散傾斜板の傾斜角度が調整され、
それにより、前記拡散傾斜板に当たる噴雪の拡散範囲が調整されるのでもよい。
【００１６】
また、前記拡散傾斜板は、下端が、前記回転体の回転軸線上を前記下流側端面から上方に延びるバーに回動可能にピン結合され、上端側には、重りが付設され、
前記付勢手段は、コイルバネであり、一端が前記バーに連結され、他端が前記拡散傾斜板に連結されるのでもよい。
さらに、前記圧送流路の前記回転体の軸線方向に対する傾斜角度に応じて、前記回転体の回転数を調整することにより、噴雪の拡散範囲を調整するのでもよい。
さらにまた、吹雪の前記拡散領域が前記回転体の中心部側に及ぶように、前記圧送流路内には、前記取入れ口から前記排出口まで軸線方向に仕切る仕切りが設けられるのでもよい。
加えて、吹雪の前記拡散領域が前記回転体の中心部側に及ぶように、前記排出口は、前記回転体の前記下流側端面の中心部に及ぶのでもよい。
【００１７】
上記課題を解決するのに、本発明の吹雪の発生装置は、
内部に軸線方向に貫通する圧送流路を有する回転体と、該回転体をその軸線方向を中心に所定回転速度で回転させる回転駆動部とを有し、
該圧送流路は、上流側端面に取り入れ口を備え、下流側端面に排出口を備え、
前記排出口は、雪粒が前記排出口から軸線方向に対して拡散する向きに排出するように、前記取り入れ口に対して位置決めされる拡散式噴雪装置を利用して、前記排出口から噴雪される雪粒により吹雪を発生する吹雪の発生装置であって、
圧送空気の圧送速度を調整する圧送速度調整部と、
圧送空気を用いて前記圧送流路内で前記排出口に向かって、雪粒を搬送する雪粒搬送部と、
前記回転体の軸線方向を中心とする回転速度を調整する回転速度調整部とを有し、
前記雪粒搬送部により雪粒を搬送しつつ、前記回転速度調整部により、前記回転体の軸線方向を中心とする回転速度を調整することにより、吹雪の拡散領域を調整するとともに、設定した回転速度との関係において、前記圧送速度調整部により圧送空気の圧送速度を通じて前記圧送流路内の雪粒の流量を調整することにより、拡散領域内の吹雪の濃度を調整する、構成としている。
【００１８】
上記課題を解決するのに、本発明の吹雪の発生装置は、
内部に軸線方向に貫通する圧送流路を有する回転体と、該回転体をその軸線方向を中心に所定回転速度で回転させる回転駆動部とを有し、
該圧送流路は、上流側端面に取り入れ口を備え、下流側端面に排出口を備え、
前記排出口は、雪粒が前記排出口から軸線方向に対して拡散する向きに排出するように、前記取り入れ口に対して位置決めされる拡散式噴雪装置を利用して、前記排出口から噴雪される雪粒を拡散式噴雪装置の背後からの気流に乗せることにより吹雪を発生する吹雪の発生装置であって、
前記回転体は、前記回転体の軸線方向が気流の向きに沿い、前記排出口が最下流側に位置するように配置され、
圧送空気の圧送速度を調整する圧送速度調整部と、
圧送空気を用いて前記圧送流路内で前記排出口に向かって、雪粒を搬送する雪粒搬送部と、
前記回転体の軸線方向を中心とする回転速度を調整する回転速度調整部とを有し、
前記雪粒搬送部により雪粒を搬送しつつ、前記回転速度調整部により、前記回転体の軸線方向を中心とする回転速度を調整することにより、吹雪の拡散領域を調整するとともに、設定した回転速度との関係において、前記圧送速度調整部により圧送空気の圧送速度を通じて前記圧送流路内の雪粒の流量を調整することにより、拡散領域内の吹雪の濃度を調整する、構成としている。
【発明を実施するための最良の形態】
【００１９】
本発明の吹雪の発生装置により吹雪を模擬して、雪環境試験に利用する場合を例として、本発明の吹雪の発生装置を以下に詳細に説明する。
まず、雪環境試験システムについて説明すれば、図１に示すように、雪環境試験システム１０は、氷粒からなる人工雪を利用し、人工雪をその背後からの気流に乗せて吹雪を模擬して、試験供試体である車両Vに向かって吹き付けるように構成され、そのために、吹雪供給システム１２と、気流供給システム１４とを有する。
特に、氷粒の粒径および水分含有率が主な影響因子である所定の雪質を具備する吹雪を必要量用いて、車両Vに向かって連続的に吹き付ける際、車両Vの高さ全体に拡散し、場合により車両Vの高さ方向に所望の吹雪濃度分布を実現できるようにするために、所定の温度および湿度管理のもとで、人工雪として利用する氷粒群を試験直前に製造して迅速に供給することが要求される。
より具体的には、雪環境試験システム１０は、試験対象である車両Vを配置する風洞１６と、風洞１６の上部に配置された低温室１８、および低温室１８の上部に配置された製氷室２０とを有し、製氷室２０内には、製氷機２２が配置され、低温室１８内には、氷温安定化コンベア２４、砕氷機２６、ブロアー２８、冷却器３０、および人工雪の分配装置３４が配置され、風洞１６内には、湿雪装置３２、人工雪の拡散式噴雪装置３６、および吹雪捕集装置３８が配置され、概略的には、製氷室２０で製氷された氷片を低温室１８で砕氷して、氷粒化することにより人工雪を製造し、人工雪を風洞１６に向けて圧送して、風洞１６内において、湿雪化した人工雪を分配して、低温気流に乗せて吹雪化して、車両Vに向けて吹き付けるように構成している。
【００２０】
風洞１６は、開放タイプの回流型であり、測定対象である車両を設置する（開放型）測定室２００と、第１〜第４の４つの屈曲胴３０２、３０４、３０６、３０８（屈曲部）とを備えて平面視略長方形に形成されている。送風機２５で発生した気流は、第２拡散胴３１０、第３屈曲胴３０６、第４屈曲胴３０８、整流胴３１２、縮流胴３１４を経て、測定室３００に開口する吹出し口３１６から測定室に流入し、第１屈曲胴３０２、第２屈曲胴３０４の順に流れるようになっている。
送風機２５によって送風された気流は、いったん気流全体としての風速（動圧）を低下させて中間胴部における圧力（静圧）を上昇させた後、縮流胴３１４を通過させることで、測定するのに必要十分な風量（風速）の気流を吹出し口３１６から測定室３００に吹き出すことができるようにしている。
これにより、後に説明するように、製氷工程、砕氷工程、分離工程、湿雪工程を経て空気搬送される氷粒が、測定室３００内において、その背後からの気流に乗って車両に向かって吹雪として吹き付けられ、送風機２５により気流の風速を調整することにより、静止車両でありながら走行車両を模擬できるようにしている。
また、吹雪試験用の回流型風洞１６の場合、試験後の雪を分離回収するために、車両Ｖの下流に、別途雪補修装置３８を設けているが、いずれにせよ、雪の重力落下あるいは慣性効果により雪を分離させるのに、車両Ｖの下流に、敢えて気流を整流させない領域を設けている。
【００２１】
吹雪供給システム１２は、３系統設けられ、各系統において、砕氷機２６と拡散式噴雪装置３６とを接続する雪供給管４０、および風洞１６内の吸引口４２と砕氷機２６とを接続する空気ダクト４４が設けられ、雪供給管４０においては、砕氷機２６と拡散式噴雪装置３６との間に、人工雪の分配装置３４および湿雪装置３２がこの順に接続され、一方空気ダクト４４においては、風洞１６内の吸引口４２と砕氷機２６との間に、ブロワ２８、冷却器３０が接続される。
人工雪の分配装置３４を湿雪装置３２の上流側に設置するのは、人工雪の分配装置３４を下流側に設置すると、湿雪化した雪が分配装置３４に送られて、分配装置３４内に付着して、詰まりを生じることがあり、それを防止するためである。
【００２２】
製氷機２２は、フレーク状の氷片を製造するいわゆるリーマ式の製氷機２２であり、雪環境試験に用いる人工雪の全体必要量に応じて、クラック状氷片を製造する複数の製氷機２２のうちから任意台数を選択して、環境試験に用いる人工雪の必要量の変化に応じて、選択した製氷機２２により製氷することにより、製氷量を粗調整するとともに、環境試験に用いる人工雪の必要量の変化に対して、人工雪の必要量と粗調整された製氷量との差分に応じて、選択した製氷機２２それぞれにおいて、蒸発温度および／または水温および／またはリーマの回転数を調整することにより、製氷量を微調整する制御装置（図示せず）とを有する。
【００２３】
砕氷機２６は、主に、上部に配置されたロータリーフィーダー（図示せず）と、下部に配置された一対の破砕ドラム（図示せず）とからなり、氷温安定化コンベア２４により供給された氷片をロータリーフィーダーにより分量化して一対の破砕ドラムに供給し、一対の破砕ドラムにより破砕して、所定粒径の氷粒として雪供給管４０に供給するようにしている。
【００２４】
人工雪の分配装置３４は、雪供給管４０により搬送される人工雪を複数の分岐管（図示せず）に分配するのに用いられ、より具体的には、同じレベルの拡散式噴雪装置３６が車両Vの幅方向に複数設けられるように、各系統における雪供給管４０は、車両Vの幅方向に複数の分岐管に分岐され、各分岐管ごとに湿雪装置３２が設けられ、各分岐管の先端に、拡散式噴雪装置３６が設けられる。
【００２５】
人工雪の分配装置３４は、上流側端面および下流側端面それぞれが雪供給管４０の下流側端面および複数の分岐管それぞれの上流側端面と平行に配置された回転体（図示せず）と、回転体をその軸線方向を中心に所定回転速度で回転させる回転駆動部（図示せず）とを有し、回転体はその内部に、回転体を軸線方向に貫通する圧送流路（図示せず）を有し、圧送流路は、上流側端面に、雪供給管４０の下流側端面に設けられる流出開口（図示せず）に近接対向して非接触式に配置される取り入れ口（図示せず）を備え、下流側端面に、複数の分岐管それぞれの上流側端面に設けられる流入開口（図示せず）に近接対向して非接触式に配置される排出口（図示せず）とを備え、排出口は、回転体の回転による排出口の通過軌跡上に複数の分岐管それぞれの流入開口が位置するように設けられる。
【００２６】
湿雪装置３２は、雪供給管４０に連通するホットエア供給管（図示せず）を有し、ホットエア供給管は、その下流側端部に、雪供給管４０の延び方向の所定長さに亘って雪供給管４０の外周面全体を覆う環状スペースを形成するホットエア流入部（図示せず）を有し、環状スペースに覆われる雪供給管４０の外周面には、ホットエアの流入開口（図示せず）が均等に複数設けられ、それにより、雪供給管４０のホットエア流入部が付設される部位の下流側において、雪供給管４０内にエージングスペース（熱交換熟成領域）が形成され、そこにおいて湿雪化されるようにしている。
【００２７】
気流供給システム１４について、風洞１６は、循環スペースの一部に形成され、車両Vの前方から後方に向かって一方向に車両Vの車高に亘って吹雪を吹き付けるように構成される。具体的には、循環スペース内に設置された送風機２５により車両Vの前方から後方に向かって一方向に所定風速の気流を発生し、車両Vを通過して気流は冷却器３０により所定温度に冷却されて、送風機２５に戻され、再度気流を発生し、これを繰り返すようにしている。
【００２８】
吹雪の発生装置に関し、拡散式噴雪装置３６について、車両Vの前方所定距離の位置に、車両Vの車高に亘って高さ方向に所定間隔を隔てて、３機の吹雪の拡散式噴雪装置３６が配置され、各拡散式噴雪装置３６ごとに、供給する吹雪の濃度を調整可能にしている。車両Vの後方所定距離の位置には、雪捕集装置３８が配置され、雪捕集装置３８を通過した吹雪は、風洞１６内の吸引口４２を介して低温室１８内に配置されたブロアー２８により引かれ、冷却器３０により冷却され、砕氷機２６に戻され、製氷機２２により製氷され氷温安定化コンベア２４により砕氷機２６に供給され砕氷される氷粒と混合され、再び雪供給管４０を介して拡散式噴雪装置３６から吹雪を吹き出すのに利用されるようにしている。拡散式噴雪装置３６は、気流の進行方向に沿って配置され、送風機２５から吹き出される気流の帯域内に回転体１１０（後に説明）が設置される。
この点、吹雪は、ブロアー２８による圧送空気により各拡散式噴雪装置３６から吹き出される雪が、送風機２５から吹き出される気流に乗って車両Vに向かって吹き付けられるところ、圧送空気の圧送速度は、雪供給管４０内での雪の詰まりを生じない限り、なるべく低速であるのが好ましく、吹雪の速度は、送風機２５から吹き出される気流により模擬するのが好ましい。
【００２９】
図２ないし図７に示すように、人工雪の拡散式噴雪装置３６は、管内で圧送空気の気流により人工雪を圧送する雪供給管４０の先端開口との間に間隔を隔てて配置される。
【００３０】
人工雪の拡散式噴雪装置３６は、上流側端面１０５が雪供給管４０の下流側端面１０６と平行に配置された回転体１１０と、回転体１１０をその軸線方向を中心に所定回転速度で回転させる回転駆動部（図示せず）とを有する。回転駆動部は、たとえば、駆動モータであり、回転体１１０の側面に設けたプーリー（図示せず）を介してベルト伝動により、回転体１１０を回転すればよい。
回転体１１０は、円柱状であり、その内部に回転体１１０を軸線方向に貫通する圧送流路１１４を有する。圧送流路１１４は、上流側端面に、雪供給管４０の下流側端面１０６に設けられる流出開口１１６に近接対向して非接触式に配置される取り入れ口１１８を備え、下流側端面１０７に排出口１２２を備える。取り入れ口１１８および排出口１２２は、円形開口でよい。
回転体１１０は、中実状の円柱体であり、圧送流路１１４は、排出口１２２と取り入れ口１１８との間を延びる貫通孔として設けられ、下流側端面１０７が車両Ｖに面するように配置され、それにより、排出口１２２から発生する吹雪が車両Ｖに吹き付けられるようにしている。
【００３１】
図１２に示すように、雪供給管４０の下流側端部には、張出環状フランジ１２４Ａが設けられ、張出環状フランジ１２４Ａは、回転体１１０のまわりに下流側端面１０６に向かって突出するリング部１２６Ａを有し、リング部１２６Ａの内周面１２８Ａと回転体１１０の外周面１３０との間に、ベアリング１３２Ａおよびオイルシール１３４Ａが設けられる。
変形例として、図１３に示すように、リング部１２６Ａに大気開放穴１３５を設けてもよい。これにより、ベアリング１３２Ａが片圧となって、ベアリング内に水が浸入するのを防止することが可能であり、この場合には、外側のオイルシール１３４Ａを省略することが可能である。
【００３２】
圧送流路１１４は、回転体１１０の内部に、単一に設けられ、取り入れ口１１８は、回転体１１０の軸線を中心とし、排出口１２２は、取り入れ口１１８に対して、回転体１１０の軸線方向を中心とする周方向に関してオフセット配置される。偏心量Ｄ（図７参照）または軸線に対する傾斜角度α（図２参照）は、人工雪の圧送流量に応じて、排出口１２２からの所望拡散範囲の観点から決定すればよい。
すなわち、後に説明する回転体１１０の回転速度が一定の場合、偏心量が大きいほど、人工雪の拡散範囲は拡大する。
取り入れ口１１８の内径は、雪供給管４０の内径よりも小さく設定し、回転体１１０内の圧送流路１１４が雪供給管４０側の取り入れ口１１８から排出口１２２に向かって先細に形成されている。しかしながら、雪供給管４０内を流れる気流速度、雪供給管４０内を気流により圧送される人工雪の量によっては、取り入れ口１１８の内径を雪供給管４０の内径とほぼ同じあるいは大きくする場合もあり、あるいは、回転体内の圧送流路１１４は、取り入れ口１１８と排出口１２２の間を同一径あるいは取り入れ口１１８から排出口１２２に向かって先太に形成してもよい。
回転体１１０の回転速度は、偏心量Ｄまたは軸線に対する傾斜角度αとの関係において、所望の拡散範囲に応じて設定される。回転体１１０の上流側端面１０５および下流側端面１０７それぞれは、円形であり、雪供給管４０の下流側端面１０６を包摂する領域と同じ大きさを有し、圧送流路１１４は、直線状流路である。
圧送流路１１４により圧送される人工雪が、圧送流路１１４の内周面１２８に付着しないように、圧送流路１１４の内周面１２８は、樹脂製であり、圧送流路１１４内で人工雪を圧送する気流速度は、人工雪の内周面１２８への付着力を上回る剥離力が生じるような速度に設定する。
なお、たとえば、ブロワー２８の出力を調整することにより、圧送空気の圧送速度を調整する圧送速度調整部が構成されるとともに、圧送空気を用いて圧送流路１１４内で排出口１２２に向かって、雪粒を搬送する雪粒搬送部が構成され、たとえば、回転体１１０の駆動モータの出力を調整することにより、回転体１１０の軸線方向を中心とする回転速度を調整する回転速度調整部が構成されている。
【００３３】
拡散式噴雪装置３６によれば、気流により人工雪を圧送する雪供給管４０から、回転する回転体１１０の圧送流路１１４を介して、人工雪を拡散することが可能である。
【００３４】
以上の構成を有する雪環境試験システム１０について、噴雪の発生方法を含め、その作用を以下に説明する。
まず、試験室３００内の温度および／または湿度を所定に設定する。
【００３５】
次いで、各系統において、製氷機２２によって製氷された氷片が砕氷機２６によって砕氷され、所定粒径の氷粒となり、雪供給管４０により、圧送速度調整部により圧送速度が調整された圧送空気である気流により圧送され、分配装置３４により、複数の分岐管に分岐され、各分岐管において、湿雪装置３２によって所定の水分含有率を有する湿雪とされ、拡散式噴雪装置３６まで達する。
この場合、圧送される雪は、気流とともに雪供給管４０の流出開口１１６から流出し、回転速度調整部および回転駆動部により回転体１１０の軸線方向を中心に所定回転速度で回転する回転体１１０の内部の圧送流路１１４に取り入れ口１１８から流入し、排出口１２２から流出して、拡散するようにしてある。
この場合、拡散式噴雪装置３６は、系統ごとに、車両の高さ方向に間隔を隔てて配置され、同じ系統の複数の拡散式噴雪装置３６は、車両Ｖの幅方向に間隔を隔てて配置されている。
一方、送風機２５から発生した気流は、第２拡散胴３１０、第３屈曲胴３０６、第４屈曲胴３０８、整流胴３１２、縮流胴３１４を経て、吹き出し口３１６から車両Ｖに向かって流れ、第１屈曲胴３０２および第２屈曲胴３０４を経て、送風機２５に戻され、回流するようにしている。
より詳細には、管内で気流により雪粒を圧送する雪供給管４０の下流側端面１０６の流出開口１１６から雪粒が流出する際、回転駆動部により、雪供給管４０の下流側端面１０６と平行に配置された回転体１１０をその軸線方向を中心に所定回転速度で回転させておくことにより、雪粒は、流出開口１１６に近接対向して非接触式に配置される取り入れ口１１８から、回転体１１０の上流側端面１０５に設けられる取入れ口１１８と回転体１１０の下流側端面１０６に設けられる排出口１２２との間で回転体１１０の軸線方向に貫通する圧送流路１１４内を排出口１２２に向かって流れ、排出口１２２から流出する。
その際、回転体１１０の上流側端面１０５に設けられる取入れ口１１８に対する回転体１１０の下流側端面１０６に設けられる排出口１２２の位置により決定される偏心量Ｄまたは軸線に対する傾斜角度αのもとで、回転体１１０の回転数の調整を通じて、噴雪を所望の拡散範囲に簡便に拡散調整することが可能である。それとは独立に、雪供給管４０内の圧送空気の圧送速度を調整することにより、拡散領域内の吹雪の濃度を調整することが可能である。
たとえば、吹雪が車両Ｖに到達する際の車両Ｖの高さ方向の拡散領域を広くし、拡散領域内の吹雪の濃度を高くする場合には、回転体１１０の回転数を高く設定し、設定した回転数との関係において、圧送空気の圧送速度を高めて、圧送管内の雪粒の流量を増大させることにより、吹雪の濃度を高めればよい。
【００３６】
拡散式噴雪装置３６の背後から車風速を再現した低温気流が、走行車両を模擬すべく毎時２０ないし１００kmの場合、拡散式噴雪装置３６から１m 程度前方位置に車両を配置し、その位置において、自然界の吹雪の再現、すなわち雪の濃度（もしくは吹雪強度）を鉛直方向に一様に５０ないし５００ｋｇ／ｍ２ｈとするためには、一つの拡散式噴雪装置３６が示す吹雪状態範囲を考えて、全体の吹雪再現する面積に、適切に複数の拡散式噴雪装置３６を配設して全体としての吹雪状態を再現させる。
【００３７】
なお、図８に示すように、吹雪の濃度分布が鉛直方向で異なる自然界のような場合（地表面が最も濃度が高く、高さ方向に段々と濃度が低下していく）には、各配設する拡散式噴雪装置３６への供給雪量を変えることと、配設する拡散式噴雪装置３６の適切な配置により、容易に雪の濃度（もしくは吹雪強度）の変化を再現させることができるのは言うまでもない。
【００３８】
以上の構成を有する吹雪の発生方法によれば、拡散式噴雪装置を利用することにより、内部に軸線方向に貫通する圧送流路を有する回転体の軸線方向が、拡散式噴雪装置の背後からの気流の向きに沿い、排出口が最下流側に位置するように回転体を配置し、圧送空気を用いて圧送流路内で排出口に向かって、雪粒を搬送する際、回転駆動部により、内部に軸線方向に貫通する圧送流路を有する回転体をその軸線方向を中心に回転する回転速度を調整することにより、吹雪の拡散領域を調整するとともに、設定した回転速度との関係において圧送流路内の雪粒の流量を調整することにより、拡散領域内の吹雪の濃度を調整することが可能であり、吹雪の拡散領域と、拡散領域内の吹雪の濃度とを互いに独立に所望に簡易に調整可能である。
【００３９】
変形例として、吹雪が風洞内に配置された車両に向かって吹き出され、車両に対して環境試験を行うのに用いられる際、排出口１２２と車両との距離が２メートル以下の場合には、圧送流路内を流れる圧送空気のみを利用して、車両に達する際に所望の拡散領域と拡散領域内の濃度となるように、車両に向かって吹雪を発生するのでもよく、拡散式噴雪装置３６からの噴雪を拡散式噴雪装置３６の背後からの気流に乗せて吹雪を模擬することなしに、車両に到達する際の吹雪の拡散領域および濃度を所望に確保することが可能である。
さらなる変形例として、図１４ないし図１６に示すように、吹雪の拡散領域が回転体１１０の中心部側に及ぶように、圧送流路１１４内には、取入れ口１１８から排出口１２２まで軸線方向に仕切る仕切り３１８が設けられるのでもよい。仕切り３１８は、長帯状の平板をなし、圧送流路１１４内を二分し、一方が、回転体１１０の外側に向けて噴雪し、他方が、回転体１１０の中心部側に向けて噴雪するように、仕切り３１８の圧送流路１１４に対する向きを調整すればよい。雪粒が排出口１２２から軸線方向に対して拡散する向きに排出するように構成していることから、吹雪の拡散領域内において、回転体１１０の外側に比べて中心部側のほうが、吹雪濃度が低くなりがちであるところ、これにより、吹雪の拡散領域において、吹雪濃度の偏りを低減することが可能である。
この場合、吹雪の拡散領域が回転体１１０の中心部側に及ぶように、排出口１２２が、回転体１１０の下流側端面１０７の中心部に及ぶように設けてもよい。
さらに、吹雪の拡散領域において、吹雪濃度の偏りを低減する限りにおいて、仕切り３１８は、長帯状であるが、排出口１２２の雪粒の流れ方向上流側の排出口１２２の近傍で曲折させてもよく、軸線方向に直交する断面形状が曲面状をなしてもよい。
【００４０】
以下に、本発明の第２実施形態について、図１０を参照しながら説明する。以下の説明において、第１実施形態と同様な構成要素については、同様な参照番号を付することによりその説明は省略し、以下では、本実施形態の特徴部分について詳細に説明する。
本発明の第２実施形態の特徴は、回転体１１０に付設する可撓性管２０４を利用して、噴雪の拡散範囲を調整する点にある。
【００４１】
より詳細には、排出口１２２に対して、下端開口２０２が連通するように接続された可撓性管２０４が設けられ、可撓性管２０４は、回転体１１０の回転により、可撓性管２０４の上端開口２０６が下端開口２０２に対して回転体１１０の半径方向外側に位置するように、長手方向に撓み、それにより、排出口１２２から噴射する噴雪の拡散範囲が調整される。可撓性管２０４は、回転体１１０に付設する際、管内の中空部が閉鎖されない程度に自己保形性のある材料である限り、たとえば、ゴムホースでもよい。
【００４２】
これによれば、回転体１１０の回転数を上げると、可撓性管２０４の長手方向の撓み量は増大し、それにより、噴雪の拡散範囲は広がり、一方、回転体１１０の回転数を下げると、可撓性管２０４の長手方向の撓み量は減少し、それにより、噴雪の拡散範囲は狭まる。
なお、長さの異なる可撓性管２０４を複数用意しておくことにより、回転数が一定の場合、長さの長い可撓性管２０４ほど、回転による遠心力が増大することから、それにより、可撓性管２０４の長手方向の撓み量は増大し、それにより、噴雪の拡散範囲は広がるので、噴雪の所望の拡散範囲に応じて、長さの異なる可撓性管２０４のどれを選択するかを決定してもよい。
【００４３】
以下に、本発明の第３実施形態について、図１１を参照しながら説明する。以下の説明において、第１実施形態と同様な構成要素については、同様な参照番号を付することによりその説明は省略し、以下では、本実施形態の特徴部分について詳細に説明する。本実施形態の特徴は、拡散プレート２１２を利用した噴雪の拡散範囲の調整態様にある。
【００４４】
より詳細には、排出口１２２から噴射される噴雪が当たるように位置決めされて、回転体１１０に対して、回転体１１０の中心から外周縁に向かって上向きに連結された拡散プレート２１２と、拡散プレート２１２を上方から支持するコイルバネ２１４とを有し、拡散プレート２１２は、下端２０８が、回転体１１０の回転軸線上を下流側端面１０６から上方に延びるバー２１０に回動可能にピン結合され、上端２１２側には、重り２１３が付設され、下端２０８がバー２１０に連結され、上端２１２が拡散プレート２１２に連結される。回転体１１０の回転により、拡散プレート２１２に作用する遠心力と拡散プレート２１２に作用するコイルバネ２１４による付勢力との釣り合い位置に、拡散プレート２１２の傾斜角度βが調整され、それにより、拡散プレート２１２に当たる噴雪の拡散範囲が調整される。
【００４５】
これにより、たとえば、コイルバネ２１４のバネ剛性を高くすれば、回転数一定のもとで、拡散プレート２１２の傾斜角度βは小さくなり、それにより、噴雪の拡散範囲は狭まり、一方、コイルバネ２１４のバネ剛性を低くすれば、回転数一定のもとで、拡散プレート２１２の傾斜角度βは大きくなり、それにより、噴雪の拡散範囲は広がる。
一方、同じコイルバネ２１４のもとで、回転数を上げれば、拡散プレート２１２の傾斜角度βは大きくなり、それにより、噴雪の拡散範囲は広がり、一方、回転数を下げれば、拡散プレート２１２の傾斜角度βは小さくなり、それにより、噴雪の拡散範囲は狭まる。
【００４６】
以上、本発明の実施形態を詳細に説明したが、本発明の範囲から逸脱しない範囲内において、当業者であれば、種々の修正あるいは変更が可能である。
たとえば、本実施形態において、吹雪を車両に対して環境試験を行うのに利用するものとして説明したが、この場合の車両とは、自動車に限らず、車輪により走行可能な移動体として、トラック、バス、鉄道車両、または人の運搬用途でない移動体等も包含され、スノーモービルのように車輪のない移動体も含まれる。
たとえば、本実施形態において、拡散式噴雪装置を環境試験に利用するものとして説明したが、それに限定されることなく、噴雪の拡散範囲および吹雪の濃度を調整するのに用いる限り、商業的に人工雪を利用して、吹雪を模擬する場合に用いたりしてもよい。
【００４７】
たとえば、本実施形態において、降雪を模擬する雪として、氷片を破砕することにより形成される人工雪であるものとして説明したが、それに限定されることなく、自然雪であったり、あるいは所定湿度および所定温度の冷風を利用して生成される人工結晶雪であってもよく、これらは湿雪でなくてもよい。
【図面の簡単な説明】
【００４８】
【図１】本発明の第１実施形態に係る雪環境試験システムの全体概要図である。
【図２】本発明の第１実施形態に係る雪粒の拡散式噴雪装置の回転体１１０を環境試験システムの雪供給管に設けた状態を拡大して示す切欠き斜視図である。
【図３】本発明の第１実施形態に係る雪粒の拡散式噴雪装置の回転体１１０を示す斜視図である。
【図４】本発明の第１実施形態に係る雪粒の拡散式噴雪装置の回転体１１０の回転軸線方向の断面図である。
【図５】図４中の矢印Ａ方向より見た回転体１１０の回転軸線方向の端面図である。
【図６】図４中の矢印Ｂ方向より見た回転体１１０の回転軸線方向の端面図である。
【図７】図４に示した回転体１１０を上流側から見た端面図である。
【図８】自然界における地面から高さ方向の吹雪の濃度分布を示す図である。
【図９】本発明の第１実施形態に係る拡散式噴雪装置において、天井に向けて上方に拡散させる状況を示す概要図である。
【図１０】本発明の第２実施形態に係る雪粒の拡散式噴雪装置を示す概略斜視図である。
【図１１】本発明の第３実施形態に係る雪粒の拡散式噴雪装置を示す概略斜視図である。
【図１２】本発明の第１実施形態に係る拡散式噴雪装置において、回転体と分岐管との接続部まわりを示す部分概略図である。
【図１３】本発明の第１実施形態に係る拡散式噴雪装置において、回転体と分岐管との接続部まわりの変形例を示す図１１と同様な図である。
【図１４】本発明の第１実施形態における案内流路の変形例を示す図４と同様な図である。
【図１５】本発明の第１実施形態における案内流路の変形例を示す図５と同様な図である。
【図１６】本発明の第１実施形態における案内流路の変形例を示す図６と同様な図である。
【符号の説明】
【００４９】
Ｖ  車両
Ｘ  回転軸線
１０  雪環境試験システム
１２  吹雪供給システム
１４  気流供給システム
１６  風洞
１８  低温室
２０  製氷室
２２  製氷機
２４  氷温安定化コンベア
２６  砕氷機
２８  ブロアー
３０  冷却器
３２  湿雪装置
３４  分配装置
３６  拡散式噴雪装置
３８  吹雪捕集装置
４０  雪供給管
４２  吸引口
４４  空気ダクト
４６  ロータリーフィーダー
４８  破砕ドラム
１０４  上流側端面
１０５  上流側端面
１０６  下流側端面
１０７  下流側端面
１１０  回転体
１１４  圧送流路
１１６  流出開口
１１８  取り入れ口
１２０  流入開口
１２２  排出口
１２４  張出環状フランジ
１２６  リング部
１２８  内周面
１３０  外周面
１３２  ベアリング
１３４  オイルシール
１３５  大気開放穴
２０２  一端開口
２０４  可撓製管
２０６  他端開口
２０８  一端
２１０  バー
２１２  他端
２１３  重り
２１４  コイルバネ
３００  測定室
３０２  第１屈曲胴
３０４  第２屈曲胴
３０６  第３屈曲胴
３０８  第４屈曲胴
３１０  第２拡散胴
３１２  整流胴
３１４  縮流胴
３１６  吹き出し口
３１８  仕切り
【図１】
2018091607.tif 000003
【図２】
2018091607.tif 000004
【図３】
2018091607.tif 000005
【図４】
2018091607.tif 000006
【図５】
2018091607.tif 000007
【図６】
2018091607.tif 000008
【図７】
2018091607.tif 000009
【図８】
2018091607.tif 000010
【図９】
2018091607.tif 000011
【図１０】
2018091607.tif 000012
【図１１】
2018091607.tif 000013
【図１２】
2018091607.tif 000014
【図１３】
2018091607.tif 000015
【図１４】
2018091607.tif 000016
【図１５】
2018091607.tif 000017
【図１６】
2018091607.tif 000018